(57)【要約】【課題】  従来技術はフィルムで袋を形成し、密封部分を易開封性シールができるように、特殊な共押出フィルムからなるテープを介在させる包装体を製造する技術であるが、縦シールをセンターではなく、左右どちらかに片寄せしてずらすのか具体的に開示されていない。【解決手段】  内側バッグ２と外側バッグ４から成るバッグインボックス１であって、内側バッグ２は、水素ガス３を微量ずつ透過可能にするポリエチレン素材からなる内袋で、外側バッグ４は、水素ガス３の透過離散を防ぐアルミ蒸着ポリエチレン素材からなる外袋で構成され、前記内側バッグ２内に液体を充填し、該液体が充填された内側バッグ２を前記外側バック４内に挿入し、この挿入した際に内側バッグ２と外側バッグ４の間に隙間空間５を形成できるようにしたもので、この隙間空間５に水素ガス３を充填した水素ガス封入バッグインボックス。【選択図】図３
2014218260.tif 000002
【特許請求の範囲】
【請求項１】
内側バッグと外側バッグから成るバッグインボックスであって、内側バッグは、水素ガスを微量ずつ透過可能にするポリエチレン素材からなる内袋で、外側バッグは、水素ガスの透過離散を防ぐアルミ蒸着ポリエチレン素材からなる外袋で構成され、前記内側バッグ内に液体を充填し、該液体が充填された内側バッグを前記外側バック内に挿入し、この挿入した際に内側バッグと外側バッグの間に隙間空間を形成できるようにしたもので、この隙間空間に水素ガスを充填したことを特徴とする水素ガス封入バッグインボックス。
【請求項２】
内側バッグと外側バッグから成るバッグインボックスであって、内側バッグは、水素ガスを微量ずつ透過可能にするポリエチレン素材からなる内袋で、外側バッグは、水素ガスの透過離散を防ぐアルミ蒸着ポリエチレン素材からなる外袋で構成され、前記内側バッグ内に液体と水素ガスを充填し、該液体と水素ガスが充填された内側バッグを前記外側バック内に挿入し、この挿入した際に内側バッグと外側バッグの間に隙間空間を形成できるようにしたもので、この隙間空間に水素ガスを充填したことを特徴とする水素ガス封入バッグインボックス。
【発明の詳細な説明】
【技術分野】
【０００１】
本発明は、液体、例えば飲料水、ミネラルウォーター、液体食品等を充填・保管・輸送するためのもので、合成樹脂製のフィルムを袋状にした内袋に液体を充填し、該液体を充填した内袋を、ガスバリア性の低下が小さいアルミ蒸着合成樹脂製のフィルムを袋状にした外袋に挿入し、前記内袋と前記外袋の間の隙間空間に水素ガスを充填してなるバッグインボックスに関するものである。
【背景技術】
【０００２】
従来のバッグインボックスは、注出口を有するフィルム製でその四辺に熱溶着部を有する平袋の内袋と、該内袋を収納する立方体もしくは直方体の外箱とよりなるバッグインボックスであって、前記内袋に液体が充填されていると共に、充填された液体の１〜１０容量％の範囲で気体が封入されているバッグインボックス（例えば、特許文献１参照）が存在している。
【先行技術文献】
【特許文献】
【０００３】
【特許文献１】特開２００３−２３１５５８号公報（特許請求の範囲の欄、発明の詳細な説明の欄、及び図１〜図４を参照）
【発明の概要】
【発明が解決しようとする課題】
【０００４】
従来のバッグインボックスは、フィルム製内袋に液体を充填し、この液体に空気や不活性ガスである窒素、炭酸ガス等を内液体の１〜１０容量％の範囲で封入されているものであり、フィルム製内袋は、単体のポリエチレンフィルム、ポリアミドとポリエチレンの多層フィルム、あるいはラミネートフィルム、アルミ蒸着フィルム、アルミ箔等、用途によって適宜使用することができ、前記内袋は、立方体もしくは直方体の段ボールからなる外箱に収納できるようにしたものである。
この気体封入バッグインボックスは、内袋内の液体と共に液体の１〜１０容量％の気体が封入されているので、液体を抽出して残量が減ってきた時に、内袋を形成するフィルムが折り曲がっても、気体の存在によりフィルムが抽出口を塞いでしまうことがなく、液体の流動性を保つことができ、排出を確実に行うことができるものとして開発されたバッグインボックスである。
しかし、このバッグインボックスでは、液体を注出する毎に、水素ガスも排出されるため、液体中に水素ガスを常時溶解させると共に、液体中の水素ガスの溶存度を高い状態、かつ長期間溶存度を維持すること、並びに高度な衛生状態を保つことが困難である。
なお、バッグインボックスに最初から注水コックを取り付けたものとすると不衛生になってしまう。
内側バッグ内の飲料水、ミネラルウォーター等の液体に水素ガスの浸透は早い方が良く、最も良いのは製造時に水素ガス濃度がピークで、そのままの状態で長時間持続することが望ましいが、今までの常識では、製造時ピークであっても、飲料水、ミネラルウォーター等の液体の注出頻度にもよるが、数日から１、２カ月後には、殆んど水素ガスはゼロになってしまうという問題点がある。
本発明は、この問題を解決した水素ガス封入バッグインボックスを提供することを目的とするものである。
【課題を解決するための手段】
【０００５】
上記の課題を解決することができる本発明の第１発明は、請求項１に記載された通りの水素ガス封入バッグインボックスであり、次のようなものである。
内側バッグと外側バッグから成るバッグインボックスであって、内側バッグは、水素ガスを微量ずつ透過可能にするポリエチレン素材からなる内袋で、外側バッグは、水素ガスの透過離散を防ぐアルミ蒸着ポリエチレン素材からなる外袋で構成され、前記内側バッグ内に液体を充填し、該液体が充填された内側バッグを前記外側バック内に挿入し、この挿入した際に内側バッグと外側バッグの間に隙間空間を形成できるようにしたもので、この隙間空間に水素ガスを充填する構成である。
【０００６】
上記の課題を解決することができる本発明の第２発明は、請求項２に記載された通りの水素ガス封入バッグインボックスであり、次のようなものである。
内側バッグと外側バッグから成るバッグインボックスであって、内側バッグは、水素ガスを微量ずつ透過可能にするポリエチレン素材からなる内袋で、外側バッグは、水素ガスの透過離散を防ぐアルミ蒸着ポリエチレン素材からなる外袋で構成され、前記内側バッグ内に液体と水素ガスを充填し、該液体と水素ガスが充填された内側バッグを前記外側バック内に挿入し、この挿入した際に内側バッグと外側バッグの間に隙間空間を形成できるようにしたもので、この隙間空間に水素ガスを充填する構成である。
【発明の効果】
【０００７】
本発明に係る水素ガス封入バッグインボックスは、上記説明のような構成を有するので、以下に記載する効果を奏する。
（１）飲料水、ミネラルウォーターに水素ガスを溶解させることができる。
（２）飲料水、ミネラルウォーター中に水素ガス濃度を高い状態に維持することができる。
（３）飲料水、ミネラルウォーター中に水素ガス濃度を高い状態で長期間維持することができる。
（４）高度な衛生状態を保つことができる水素水を生成することができる。
（５）水素ガス封入バッグインボックスを開封前の状態であっても、開封後に飲料水、ミネラルウォーターを注出する状態であっても、外側バッグから内側バッグへと水素ガスを徐々に浸透させることができ、常に内側バッグには水素ガスを好適に溶存させることができる。
【図面の簡単な説明】
【０００８】
【図１】本発明の水素ガス封入バッグインボックスの一実施例を示す平面図である。
【図２】本発明の水素ガス封入バッグインボックスの一実施例の概略を示す一部を断面にした概略正断面図である。
【図３】本発明の水素ガス封入バッグインボックスの内側バッグと外側バッグの空間に水素ガスを充填する一具体例を示す概略説明図である。
【図４】本発明の水素ガス封入バッグインボックスの内側バッグと外側バッグの空間に水素ガスを充填した状態を示す概略説明図である。
【発明を実施するための形態】
【０００９】
内側バッグと外側バッグから成るバッグインボックスであって、内側バッグは、水素ガスを微量ずつ透過可能にするポリエチレン素材からなる内袋で、外側バッグは、水素ガスの透過離散を防ぐアルミ蒸着ポリエチレン素材からなる外袋で構成され、前記内側バッグ内に液体を充填し、該液体が充填された内側バッグを前記外側バック内に挿入し、この挿入した際に内側バッグと外側バッグの間に隙間空間を形成できるようにしたもので、この隙間空間に水素ガスを充填した水素ガス封入バッグインボックスである。
【実施例１】
【００１０】
以下、本発明の水素ガス封入バッグインボックスの具体例について図面に基づいて説明する。
図１、図２に示すように、水素ガス封入バッグインボックス１は、飲料水、ミネラルウォーター等の液体の輸送・保管に広く用いられるもので、その内袋、すなわち内側バッグ２内には、飲料水、ミネラルウォーター等の液体を充填するもので、水素ガス３が浸透・透過できるポリエチレン素材から成るポリエチレンバッグで、その成形は真空成型、あるいはブロー成型した成型タイプのバッグやポリエチレンフィルムを熱溶着してバッグ状にしたフィルムタイプのものが採用される。
また、外袋、すなわち外側バッグ４内には、水素ガスを充填するもので、水素ガスを外部に離散させないように透過しないアルミ蒸着ポリエチレン素材から成るアルミ蒸着ポリエチレンバッグ、あるいはアルミ箔バッグである。
【００１１】
ここで、水素ガス３の充填について図３、図４に基づいて説明する。
本発明の水素ガス封入バッグインボックスは、内側バッグ２と外側バッグ４を組み合わせたバッグインボックス１でこの内側バッグ２と外側バッグ４の隙間空間５に水素ガスボンベ６の水素ガス３を水素ガス注入口から、水素ガス注入器７を使用して充填する。
この水素ガス３を充填する手段としては、一例として次のようにして行う。
外側バッグ４の４隅のうち、いずれか１ヶ所の隅角部分である外袋のアルミ蒸着フィルムの裏表だけに切り込みを入れ、内側バッグ２のポリエチレンバッグは切り込みを入れないようにし、この切り取ったアルミ蒸着フィルムからなる外側バッグ４の隅角部分から、水素ガス注入器７を使って水素ガス３を内側バッグ２と外側バッグ４間の隙間空間５に約１リットルから２リットル注入する。この水素ガス３の注入後直ちに切り込みを入れたアルミ蒸着フィルムからなる外側バッグ４の隅角部分をシーラー（溶融圧着装置）等で密封する。
次に、バッグインボックス１に設けた注入口に設けられた、めくら栓の封を開けて注入口からミネラルウォーターを１０リットル充填し、該注入口の注水コックを閉めて完成するものである。
なお、早く水素ガス濃度を高めるために、内側バッグ２内に飲料水、ミネラルウォーターター等の液体を充填する際に水素ガスも注入することも考えられるが、これだとめくら栓の封を開けて注水コックに付け替える際、めくら栓を取り外した時に、多くの水素ガスが抜けてしまうために、せっかく水素ガスの活性酸素を除去する抗酸化作用がなくなってしまう。そのため、水素ガスを補充することができるように、内側バッグ２と外側バッグ４の隙間空間５に水素ガスを注入することによって、その水素ガスを微量ずつ内側バッグ２内に浸透させることができ、液体中の水素ガスの溶存度を高い状態で、かつ長期間高い溶存度を維持することができ、さらに高度な衛生状態を保つことができる。
従って、充填された水素ガス３は、内側バッグ２から収納されたミネラルウォーターに徐々に浸透され、略３日後には内側バッグ２内の飲料水、ミネラルウォーター等の液体に水素ガス３が浸透し始め、略１５日後から急激に水素溶存濃度が高くなり、溶存濃度の高い状態を継続する水素水、ミネラルウォーターが生成される。
この際、水素ガス３の外側バッグ４との関係は、外側バッグ４の素材がアルミ蒸着フィルム、アルミ箔等の水素ガス３の透過を防ぐ素材を使用しているので、バッグインボックス１の外部に水素ガス３が逃過しないように構成されている。
なお、内側バッグ２の素材についてさらに具体的に述べると、水素ガス透過性のある素材であれば、単体のポリエチレンフィルムや、ポリアミドとポリエチレン、エチレン・ビニルアルコール共重合体とポリエチレンの多層フィルム等、またフィルムの厚さは用途によって適宜選択できるものである。
また、外側バッグ４の素材も、水素ガス無透過性の素材であれば、アルミ蒸着フィルムやアルミ箔等用途によって適宜選択することができるものである。
【００１２】
ここで、本発明の水素ガス封入バッグインボックスの製造工程の一実施例について、図３、図４に基づいて概略的に説明する。
例えばミネラルウォーターを１０リットル充填した水素ガス封入バッグインボックス１を製造する場合、図３、図４に示す通り、先ず内側バッグ２に飲料水、ミネラルウォーター等の液体を充填し、内側バッグ２と外側バッグ４の間における隙間空間に水素ガス３を充填できるように設けた水素ガス注入口（図示は省略）から、水素ガス注入器７を使用して水素ガス３を約１リットル〜２リットル充填する。
なお、水素ガス注入口は、例えば内側バッグ２を製造する場合、略１〜２ｃｍ熱圧着しない部分を作るか、全周熱圧着した後、隅角部分の１ヶ所に開口部を形成するなどして形成し、水素ガス充填後に密封するものである。また、他部材で注入口を取り付けることも可能である。
次に、この水素ガス注入後、水素ガス注入口は圧着器で閉じたり、注入口を栓で閉塞する。そしてミネラルウォーター注排出コック８を開にし、ミネラルウォーターを１０リットル充填し、ミネラルウォーター注排出コック８を閉にする。
こうしてミネラルウォーターと水素ガス３を充填したバッグインボックス１は、水素ガス３を充填した日から約３日（内側バッグ２の素材によって弱冠変動する。）後位から内側バッグ２へ水素ガス３が浸透し始め、略１５日後に水素水ミネラルウォーターが完成するものである。
なお、外側バッグ４はアルミ蒸着フィルム等の不透過性素材で製造されているため、バッグインボックス１の外部に水素ガス３が漏れることはなく、水素ガス封入濃度を長時間継続的に保持することができるものである。
【産業上の利用可能性】
【００１３】
ミネラルウォーター等、飲料水だけでなく、液体調味料等の液体食品や工業用薬品などの液体用のバッグインボックスにも利用することができる。
【符号の説明】
【００１４】
１・・・・バッグインボックス
２・・・・内側バッグ
３・・・・水素ガス
４・・・・外側バッグ
５・・・・隙間空間
６・・・・水素ガスボンベ
７・・・・水素ガス注入器
８・・・・ミネラルウォーター注排出コック
【図１】
2014218260.tif 000003
【図２】
2014218260.tif 000004
【図３】
2014218260.tif 000005
【図４】
2014218260.tif 000006